(57)【要約】【課題】ＣＬＴ等の木材を用いた建築物において逆梁工法に適用した二重床構造は確立されていない。そこで、木質の床及び木質の梁による逆梁工法に適用した二重床構造を提供する。【解決手段】本発明に係る二重床構造は、木質の床部１と、床部１と接合されて上部側が床部１の上面１ｔよりも上方に突出するように設けられた木質の梁２と、床部１の上に配置された複数の支持脚１０，１０…と、複数の支持脚１０，１０…及び梁２の上に設けられた床板構成部１１と、を備えたことを特徴とする。【選択図】図１
2020147996.tif 000002
【特許請求の範囲】
【請求項１】
木質の床部と、
床部と接合されて上部側が床部の上面よりも上方に突出するように設けられた木質の梁と、
床部の上に配置された複数の支持脚と、
複数の支持脚及び梁の上に設けられた床板構成部と、
を備えたことを特徴とする二重床構造。
【請求項２】
梁の上面と床板構成部との間に、遮音性能を有した材料により形成された床板構成部支持体を備えたことを特徴とする請求項１に記載の二重床構造。
【請求項３】
床板構成部支持体は、梁の上面と接触する面及び床板構成部と接触する面のうちの少なくとも一方の面が凹凸面に形成された板であることを特徴とする請求項２に記載の二重床構造。
【請求項４】
床板構成部支持体は、複数の板が積層されて構成され、
複数の板は、それぞれ異なる材料により形成された遮音性能が異なる板、あるいは、それぞれ同じ材料により形成されて遮音性能が異なる板であることを特徴とする請求項２又は請求項３に記載の二重床構造。
【請求項５】
床部と梁とが金属製の接合部材を介して接合され、
接合部材は、梁の下面に沿って当該梁の材軸方向及び梁の幅方向に延長するとともに梁の幅方向において梁の側面よりも外方向に突出する床接合部を有した床接合板と、床接合板より延長するように設けられた梁接合板とを備え、
梁接合板と梁とが接合手段により接合され、かつ、床接合板の床接合部と床部とが接合手段により接合されたことを特徴とする請求項１乃至請求項４のいずれか一項に記載の二重床構造。
【請求項６】
木質の床部は、ＣＬＴ又は集成材により形成された床部、あるいは、ＣＬＴ又は集成材により形成された床部と当該床部の上面にコンクリートを打設して形成されたコンクリート床部とで構成された床部であることを特徴とする請求項１乃至請求項５のいずれか一項に記載の二重床構造。
【発明の詳細な説明】
【技術分野】
【０００１】
本発明は、木質の床部と、床部の上面よりも上方に突出するように形成された木質の梁とを備えた逆梁工法における二重床構造に関する。
【背景技術】
【０００２】
従来、梁の上部側が床の上面よりも上方に突出するように形成された逆梁工法が知られている（特許文献１参照）。
また、スラブ上に支持脚を介して床板構成部を設けた二重床構造が知られている（特許文献２参照）。
【先行技術文献】
【特許文献】
【０００３】
【特許文献１】特開平６−５８５７２号公報
【特許文献２】特開２０１５−１３７４４９号公報
【発明の概要】
【発明が解決しようとする課題】
【０００４】
近年、ＣＬＴ（Cross  Laminated  Timber（直交集成板））等の木材を用いて形成された床、梁、柱等を使用した大中規模の建築物が注目され始めているが、このようなＣＬＴ等の木材を用いた建築物において上述した逆梁工法に適用した二重床構造は確立されていない。
本発明は、木質の床及び木質の梁による逆梁工法に適用した二重床構造を提供するものである。
【課題を解決するための手段】
【０００５】
本発明に係る二重床構造は、木質の床部と、床部と接合されて上部側が床部の上面よりも上方に突出するように設けられた木質の梁と、床部の上に配置された複数の支持脚と、複数の支持脚及び梁の上に設けられた床板構成部と、を備えたことを特徴とするので、木質の床及び木質の梁による逆梁工法に適用した二重床構造を提供できる。
また、梁の上面と床板構成部との間に、遮音性能を有した材料により形成された床板構成部支持体を備えたことを特徴とするので、当該逆梁となる梁を介した下階への遮音性能を向上させることができる二重床構造を提供できる。
また、床板構成部支持体は、梁の上面と接触する面及び床板構成部と接触する面のうちの少なくとも一方の面が凹凸面に形成された板であることを特徴とするので、凹凸面が変形することにより、遮音性能が向上する。
また、床板構成部支持体は、複数の板が積層されて構成され、複数の板は、それぞれ異なる材料により形成された遮音性能が異なる板、あるいは、それぞれ同じ材料により形成されて遮音性能が異なる板であることを特徴とするので、遮音性能が異なる各板の組み合わせにより構成された床板構成部支持体となり、より広い周波数帯での遮音性能を向上させることができる。
また、床部と梁とが金属製の接合部材を介して接合され、接合部材は、梁の下面に沿って当該梁の材軸方向及び梁の幅方向に延長するとともに梁の幅方向において梁の側面よりも外方向に突出する床接合部を有した床接合板と、床接合板より延長するように設けられた梁接合板とを備え、梁接合板と梁とが接合手段により接合され、かつ、床接合板の床接合部と床部とが接合手段により接合されたことを特徴とするので、逆梁工法を採用する木造建物において、木質の床部と上部側が床部の上面よりも上方に突出するように配置される木質の梁とを簡単に接合できる。
また、木質の床部は、ＣＬＴ又は集成材により形成された床部、あるいは、ＣＬＴ又は集成材により形成された床部と当該床部の上面にコンクリートを打設して形成されたコンクリート床部とで構成された床部であることを特徴とするので、木質の床及び木質の梁による逆梁工法に適用した二重床構造を提供できる。
【図面の簡単な説明】
【０００６】
【図１】二重床構造の断面図（実施形態１，２）。
【図２】床板構成部支持体を示す断面図（実施形態１）。
【図３】床板構成部支持体を示す断面図（実施形態１）。
【図４】梁床接合構造の断面図（実施形態１）。
【図５】梁床接合構造の接合手順を示す図（実施形態１）。
【発明を実施するための形態】
【０００７】
実施形態１
図１に示すように、実施形態１に係る二重床構造は、木質の床部１と、床部１と接合されて上部側が床部１の上面１ｔよりも上方に突出するように設けられた木質の梁２と、床部１の上に配置された複数の支持脚１０，１０…と、複数の支持脚１０，１０…上に設けられた床板構成部１１と、梁２の上面２ｔと床板構成部１１の下面１１ｕとの間に設けられた床板構成部支持体１２とを備えた構成とした。
尚、図１において、左端の梁２は例えば大梁であり、中央及び右端の梁２は例えば大梁又は小梁である。
また、図１において、１００は例えば上部耐力壁、１０１は例えば間仕切壁、１０２はダクト、１０３は配管である。
また、本明細書においては、上、下、左、右は、図１に示した方向と定義して説明する。
【０００８】
床板構成部支持体１２は、例えば、ゴム板、発泡ゴム板、発泡ウレタン樹脂板、発泡ポリエチレン樹脂板、発泡ポリオレフィン樹脂板等の遮音性能を有した材料により形成された板により構成される。
【０００９】
即ち、二重床構造においては、床板構成部１１を支持する支持脚１０は、後述するように、床部１と接触する部分に防振ゴム１０ａを備えるため、支持脚１０を介した下階への遮音性能が確保されている。
しかしながら、梁２が後述のようにＣＬＴ又は集成材等を用いた木質の梁２であって、かつ、当該梁２が木質の床部１と接合されて梁２の上部側が床部１の上面１ｔよりも上方に突出する逆梁となる場合は、当該木質の床部１及び木質の梁２は鉄筋コンクリートの梁と比べて比重が約１／５と小さいため、当該逆梁となる梁２及び床部１を介して下階に音、特に、重量床衝撃音が伝播しやすい構造となる。
そこで、実施形態１においては、逆梁となる梁２の上面２ｔと床板構成部１１の下面１１ｕとの間に、遮音性能を有した材料により形成された床板構成部支持体１２を設けることによって、当該逆梁となる梁２及び床部１を介した下階への音の遮音性能、特に、重量床衝撃音の遮音性能を向上させるようにした。
【００１０】
床板構成部支持体１２は、例えば、図２に示すような板、又は、図３に示すように、複数の板が積層されて構成された積層板により構成される。
【００１１】
即ち、床板構成部支持体１２を単板により構成する場合は、例えば、図２（ａ）に示すような平板、あるいは、図２（ｂ），図２（ｃ）に示すような、梁２の上面２ｔと接触する下面１２ａ及び床板構成部１１の下面１１ｕと接触する面１２ｂのうちの少なくとも一方の面が凹凸面に形成された板を用いる。
当該凹凸面の凹凸形状は、どのような形状であっても構わない。例えば、図２（ｂ）に示すような断面矩形状の凹凸形状、あるいは、図２（ｃ）に示すような断面湾曲面状の凹凸形状等であればよい。
尚、図２（ｂ），図２（ｃ）では、梁２の上面２ｔと接触する下面１２ａが凹凸面に形成された床板構成部支持体１２を例示した。
【００１２】
また、床板構成部支持体１２を、複数の板が積層された積層板により構成する場合も、例えば、図３（ａ）に示すような平板、あるいは、図３（ｂ），図３（ｃ）に示すような、梁２の上面２ｔと接触する下面１２ａ及び床板構成部１１の下面１１ｕと接触する面１２ｂのうちの少なくとも一方の面が凹凸面に形成された板を用いる。
このような下面１２ａ及び面１２ｂのうちの少なくとも一方の面が凹凸面に形成された床板構成部支持体１２を用いれば、凹凸面が変形して遮音性能が向上する。
【００１３】
床板構成部支持体１２は、例えば、図３（ａ）に示すように、同じ材料で、かつ、遮音性能が異なる２枚の平板１２Ａ，１２Ｂを積層した積層板、図３（ｂ）に示すように、異なる材料で、かつ、遮音性能が異なる３枚の板１２Ａ，１２Ｂ，１２Ｃを積層した積層板であって、梁２の上面２ｔと接触する下面１２ａが断面湾曲面状のの凹凸面に形成された積層板、図３（ｃ）に示すように、異なる材料で、かつ、遮音性能が異なる３枚の板１２Ａ，１２Ｂ，１２Ｃを積層した積層板であって、梁２の上面２ｔと接触する下面１２ａが断面矩形状の凹凸面に形成された積層板等で構成すればよい。
【００１４】
図３（ａ）に示す床板構成部支持体１２としては、例えば、上側の平板１２Ｂをゴム硬度５０°のゴム板により構成し、下側の平板１２Ａをゴム硬度７０°のゴム板により構成した積層板により形成すればよい。
図３（ｂ）に示す床板構成部支持体１２としては、例えば、上側の平板１２Ｂをゴム硬度５０°のゴム板により構成し、下側の凹凸板１２Ａをゴム硬度７０°のゴム板により構成し、上側の平板１２Ｂと下側の凹凸板１２Ａとの間に挟み込まれた平板１２Ｃを発泡倍率４０倍の発泡ポリオレフィン樹脂板により構成した積層板により形成すればよい。
図３（ｃ）に示す床板構成部支持体１２としては、例えば、上側の凹凸板１２Ｂを発泡倍率４０倍の発泡ウレタン樹脂板により構成し、下側の凹凸板１２Ａを発泡倍率５０倍の発泡ゴム板により構成し、上側の凹凸板１２Ｂと下側の凹凸板１２Ａとの間に挟み込まれた平板１２Ｃを発泡倍率３０倍の発泡ポリエチレン樹脂板により構成した積層板により形成すればよい。
【００１５】
即ち、床板構成部支持体１２を、複数の板が積層されて構成された積層板により構成する場合、複数の板は、それぞれ異なる材料により形成されて比重や硬度や発泡倍率等が異なることにより遮音性能がそれぞれ異なる板を用いたり、あるいは、それぞれ同じ材料により形成されて比重や硬度や発泡倍率等が異なることにより遮音性能がそれぞれ異なる板を用いた。
一般に、ゴム硬度が小さいゴム（固いゴム）や発泡倍率が小さい発泡体（沈み込み量が小さい発泡体）は、重量床衝撃音に対する遮音性能が高い傾向がある。逆に、ゴム硬度が大きいゴム（柔らかいゴム）や発泡倍率が大きい発泡体（沈み込み量が大きい発泡体）は、軽量床衝撃音に対する遮音性能が高い傾向がある。
従って、重量床衝撃音及び軽量床衝撃音に対する遮音性能を向上させるためには、同じ材料であっても例えばゴム硬度の違いで遮音性能がそれぞれ異なる板を用いることが好ましく、さらに、下面１２ａ及び面１２ｂのうちの少なくとも一方の面が凹凸面に形成された床板構成部支持体１２を用いれば、さらに遮音性能が向上する。
また、床板構成部支持体１２を、複数の板が積層されて構成された積層板により構成する場合は、複数の板として、それぞれ異なる材料により形成された板を用いることによって、遮音性能が異なる各板の組み合わせにより構成された床板構成部支持体１２となり、より広い周波数帯での遮音性能を向上させることができるようになる。
【００１６】
また、床板構成部支持体１２を構成する板の板厚は、床部１と床板構成部１１との間の設計高さ、要求される遮音性能等を考慮して、適宜、決定すればよい。
【００１７】
支持脚１０は、床部１上に設置される防振ゴム１０ａと、下部が防振ゴム１０ａに取付けられて防振ゴム１０ａに支持される支柱１０ｂと、支柱１０ｂの上端部に設けられた台座１０ｃとを備える。
支柱１０ｂの上部の外周面は図外の雄ねじ部に形成される。
台座１０ｃは、例えば、パーティクルボード、あるいは、構造用合板で形成される。
台座１０ｃは、台座１０ｃの上下面に貫通する図外の貫通孔を備え、この貫通孔内には当該貫通孔を上下に貫通する図外の筒体が固定され、当該筒体の内周面は図外の雌ねじ部に形成される。
つまり、支持脚１０は、支柱１０ｂの上部の外周面に形成された雄ねじ部の雄ねじと図外の筒体の内周面に形成された雌ねじ部の雌ねじとのねじ嵌合により、台座１０ｃが支柱１０ｂに対して上下に移動可能に構成され、台座１０ｃのレベル（高さ）を調整して床板構成部１１のレベル（高さ）を調整できる構成となっている。
【００１８】
床板構成部１１は、下地材１１Ａと、下地材１１Ａの上に形成された床仕上げ材１１Ｂとを備える。
床板構成部１１の下面１１ｕ（下地材１１Ａの下面１１ｕ）と支持脚１０の台座１０ｃの上面との間には基材１１Ｚが介在するように設けられる。
そして、梁２の上面２ｔと床板構成部１１の下面１１ｕとの間には、基材１１Ｚの代わりに床板構成部支持体１２が介在するように設けられる。
【００１９】
基材１１Ｚと台座１０ｃとが図外の固定手段により固定され、基材１１Ｚと下地材１１Ａとが図外の固定手段により固定される。尚、当該固定手段としては、例えば、釘、スクリュー釘、タッカー針、ビス等が用いられる。
基材１１Ｚは、複数の支持脚１０の台座１０ｃ上に載置されて水平面を形成するように並べられ、固定手段により台座１０ｃに固定された複数の板材により構成される。
基材１１Ｚを構成する板材としては、例えば、パーティクルボード、構造用合板等を用いる。
下地材１１Ａは、基材１１Ｚ及び床板構成部支持体１２の上に載置されて水平面を形成するように並べられ、固定手段により基材１１Ｚに固定された複数の板材により構成される。下地材１１Ａを構成する板材としては、例えば、パーティクルボード、強化パーティクルボード（通常のパーティクルボードよりもプレス圧を大きくして硬く形成されたパーティクルボード）、構造用合板、石膏ボード、珪酸カルシウム板、ガラス繊維不織布入り石膏ボード等を用いる。
下地材１１Ａの上面に床仕上げ材１１Ｂが取付けられる。床仕上げ材１１Ｂは、フローリング床材、カーペット、タイル、絨毯、石板、畳等により構成される。
【００２０】
尚、床板構成部支持体１２は、下面１２ａが例えば接着剤を介してに接着され、上面１２ｂが例えば接着剤を介して床板構成部１１の下面１１ｕに接着される。
【００２１】
図４に示すように、床部１と上部側が床部１の上面１ｔよりも上方に突出するように設けられた梁２との梁床接合構造は、床部１と梁２とが金属製の接合部材３を介して接合された構造とした。
接合部材３は、梁２の下面２０に沿って当該梁２の材軸方向及び梁２の幅方向に延長するとともに梁２の幅方向において梁２の側面２１，２１よりも外方向に突出する床接合部３１，３１を有した床接合板３２と、床接合板３２より延長するように設けられた梁接合板３３とを備え、床接合板３２の床接合部３１と床部１とが接合手段により接合され、かつ、梁接合板３３と梁２とが接合手段により接合された構成である。
【００２２】
図４，図５に示すように、木質の梁２は、例えば、材軸方向と直交する断面が矩形状に形成された複数の梁構成部材が接合されて１つの梁構成部材の断面よりも大きい断面を持つように形成された梁であって、材軸方向に沿った対向面２ａ，２ａ同士が所定の間隔を隔てて互いに対向するように配置された一方の梁構成部材２Ａ及び他方の梁構成部材２Ｂと、互いに所定の間隔を隔てて対向する一方の梁構成部材２Ａの対向面２ａと他方の梁構成部材２Ｂの対向面２ａとの間に設けられた上述した梁接合板３３と、梁接合板３３の一方の板面３３ａと一方の梁構成部材２Ａの対向面２ａとが接触し、かつ、梁接合板３３の他方の板面３３ｂと他方の梁構成部材２Ｂの対向面２ａとが接触した状態で、当該一方の梁構成部材２Ａと梁接合板３３と他方の梁構成部材２Ｂとを接合した接合手段とを備えて構成されている。
【００２３】
床部１、一方の梁構成部材２Ａ、他方の梁構成部材２Ｂは、ＣＬＴ又は集成材により形成される。
尚、ＣＬＴとは、農林水産省告示第３０７９号に規定されたように、「ひき板又は小角材（これらをその繊維方向を互いにほぼ平行にして長さ方向に接合接着して調整したものを含む。）をその繊維方向を互いにほぼ平行にして幅方向に並べ又は接着したものを、主としてその繊維方向を互いにほぼ直角にして積層接着し３層以上の構造を持たせた一般材」である。
即ち、ＣＬＴは、張り合わせる板の繊維方向が直交するように複数の板を張り合わせて構成された木材であり、直交集成板と呼ばれている。
また、集成材は、張り合わせる板の繊維方向が並行方向となるように複数の板を張り合わせて構成された木材である。
【００２４】
接合部材３は、例えば、床接合板３２として機能させる横板と、梁接合板３３として機能させる縦板とを有した断面Ｔ字状のＴ形鋼３０を用いた。
【００２５】
一方の梁構成部材２Ａと梁接合板３３と他方の梁構成部材２Ｂとを接合した接合手段は、例えば、一方の梁構成部材２Ａと梁接合板３３と他方の梁構成部材２Ｂとに亘って連続するように設けられた連結軸挿入用貫通孔４と、連結軸挿入用貫通孔４に挿入された連結軸５と、連結軸５を連結軸挿入用貫通孔４に固定する固定部材としてのナット６とで構成した。
【００２６】
図４に示すように、連結軸挿入用貫通孔４は、一方の梁構成部材２Ａの左右の面（対向面２ａと側面２１）に貫通するように形成された貫通孔４Ａと、他方の梁構成部材２Ｂの左右の面（対向面２ａと側面２１）に貫通するように形成された貫通孔４Ｂと、梁接合板３３に形成された貫通孔４Ｃとで構成される。
即ち、連結軸挿入用貫通孔４は、Ｔ形鋼３０の縦板により構成された梁接合板３３と、梁接合板３３の一方の板面３３ａと対向面２ａとが接触するように設置された一方の梁構成部材２Ａと、梁接合板３３の他方の板面３３ｂと対向面２ａとが接触するように設置された他方の梁構成部材２Ｂとに連続するように形成された貫通孔４Ａ，４Ｃ，４Ｂとで構成される。
【００２７】
連結軸挿入用貫通孔４の孔径は、連結軸５を挿入可能なように、連結軸５の軸径に対応して当該軸径より若干大きい寸法に形成されている。
【００２８】
図４に示すように、連結軸挿入用貫通孔４の両端側には、ナット６の径に対応して当該ナット６の径より若干大きい寸法の径に形成された大径部４１，４１を備えている。
一方の大径部４１は、連結軸挿入用貫通孔４の一端開口より延長して一方の梁構成部材２Ａの対向面２ａと対向する側面２１に開口する大径孔に形成される。
同様に、他方の大径部４１は、連結軸挿入用貫通孔４の他端開口より延長して他方の梁構成部材２Ｂの対向面２ａと対向する側面２１に開口する大径孔に形成される。
【００２９】
連結軸５は、連結軸挿入用貫通孔４の長さよりも長く、かつ、梁２の例えば左右幅寸法よりも短い長さに形成され、連結軸挿入用貫通孔４を貫通して当該連結軸挿入用貫通孔４の両端よりそれぞれ大径部４１，４１に突出する両端部は、ナット６が螺着されるねじ部５１，５１に形成されている。
【００３０】
即ち、図５（ａ），（ｂ），図４に示すように、一方の梁構成部材２Ａの対向面２ａと他方の梁構成部材２Ｂの対向面２ａとの間に、これら対向面２ａ，２ａと梁接合板３３として機能させるＴ形鋼３０の縦板の板面３３ａ，３３ｂとを接触させるとともに、貫通孔４Ａ，４Ｃ，４Ｂの中心軸を一致させて連結軸挿入用貫通孔４を形成するように、一方の梁構成部材２Ａと他方の梁構成部材２Ｂと梁接合板３３とを位置決めし、かつ、床接合板３２として機能させるＴ形鋼３０の横板における縦板側の面３２ａ，３２ｂと梁２の下面２ｕとを接触させた状態に設定する。
即ち、一方の梁構成部材２Ａの下面２０と梁接合板３３で区切られた床接合板３２の一方の上面３２ａとを接触させるとともに、他方の梁構成部材２Ｂの下面２ｕと梁接合板３３で区切られた床接合板３２の他方の上面３２ｂとを接触させた状態に設定する。
その後、連結軸５を連結軸挿入用貫通孔４に挿入し、連結軸挿入用貫通孔４の両端側に位置される大径部４１，４１にそれぞれナット６を挿入して当該ナット６を連結軸５の端部のねじ部５１に螺着して締結することにより、一方の梁構成部材２Ａと梁接合板３３と他方の梁構成部材２Ｂとが接合され、図５（ｂ）に示すような、梁２の側面２１，２１よりも外方向に突出する床接合部３１，３１を備えた梁２が構成される。
また、図４に示すように、梁接合板３３を構成する縦板の高さ寸法が、一方の梁構成部材２Ａの及び他方の梁構成部材２Ｂの梁せいの高さ（上下高さ）寸法よりも小さい場合には、梁２の上面に開口する対向面２ａ，２ａ間の間隙に例えば木製の板２Ｃを挟みこむようにしてもよい。尚、当該板２Ｃは必ずしも設けなくともよい。
【００３１】
つまり、梁２の左右幅の中間に位置される一方の梁構成部材２Ａの対向面２ａと他方の梁構成部材２Ｂの対向面２ａとの間隙に梁接合板３３が介在するように設けられるとともに、梁２の側面２１，２１よりも外方向に突出する床接合部３１，３１を有し、かつ、梁２の下面２０に接触する床接合板３２を備えて構成された、強度及び剛性の大きい安価な梁２を提供できる。
【００３２】
即ち、Ｔ形鋼３０の梁接合板３３の一方の板面３３ａと一方の梁構成部材２Ａの対向面２ａとを接触させるとともに、Ｔ形鋼３０の梁接合板３３の他方の板面３３ｂと他方の梁構成部材２Ａの対向面２ａとを接触させ、かつ、Ｔ形鋼３０の床接合板３２における梁接合板３３側の板面であって梁接合板３３で区切られた一方の上面３２ａと一方の梁構成部材２Ａの下面２０とを接触させるとともに、Ｔ形鋼３０の床接合板３２における梁接合板３３側の板面であって梁接合板３３で区切られた他方の上面３２ｂと他方の梁構成部材２Ａの下面２０とを接触させる。
さらに、一方の梁構成部材２Ａに形成された貫通孔４Ａと梁接合板３３に形成された貫通孔４Ｃと他方の梁構成部材２Ｂに形成された貫通孔４Ｂとを一致させた連結軸挿入用貫通孔４を形成し、当該連結軸挿入用貫通孔４に貫通させた連結軸５の両端側のねじ部５１，５１にそれぞれナット６を螺着して締結する。
以上により、梁２の下面２０において梁幅方向及び材軸方向に延長して梁２の側面２１，２１よりも外方向に突出する床接合部３１を有した梁２が構成される。
【００３３】
床接合部３１と床接合部３１上に載置された床部１とを接合する接合手段は、例えば、床接合部３１の下面に設置されたスプライスプレート（添板）３５と、床部１の上面から当該床部１、床接合部３１、スプライスプレート３５を貫通するように形成された連結軸挿入用貫通孔４０と、当該連結軸挿入用貫通孔４０に挿入された連結軸５０と、連結軸５０を連結軸挿入用貫通孔４０に固定する固定部材としてのナット６とで構成した。
【００３４】
即ち、図５（ｂ），（ｃ），図５に示すように、床接合部３１上に床部１を載置するとともに、床接合部３１の下面にスプライスプレート３５を設置した状態で、床部１の上下面に貫通するように形成された貫通孔４０Ａ、床接合部３１に形成された貫通孔４０Ｂ、スプライスプレート３５に形成された貫通孔４０Ｃとを一致させた連結軸挿入用貫通孔４０を形成し、当該連結軸挿入用貫通孔４０の下端開口から連結軸５０を挿入して、当該連結軸挿入用貫通孔４０に貫通させた連結軸５０の先端（上端）側に形成されたねじ部５２にナット６を螺着して締結する。
尚、床部１に形成された貫通孔４０Ａの上端側には、ナット６の径に対応して当該ナット６の径より若干大きい寸法の径に形成された大径部４２を備えている。
連結軸５０としては、例えばボルトを用いればよい。
【００３５】
以上により、床接合板３２の床接合部３１と床部１とが接合手段により接合され、床部１と木質の梁２とが金属製の接合部材３及び接合手段により接合された梁床接合構造が構築される。
即ち、逆梁工法を採用する木造建物において、床部１と上部側が床部１の上面１ｔよりも上方に突出するように配置される木質の梁２とを簡単に接合できる梁床接合構造を提供できる。
【００３６】
実施形態１に係る二重床構造によれば、逆梁となる木質の梁２の上面２ｔと床板構成部１１の下面１１ｕとの間に、遮音性能を有した材料により形成された床板構成部支持体１２を設けたので、当該逆梁となる梁２及び床部１を介した下階への遮音性能、特に、重量床衝撃音の遮音性能を向上させることができる二重床構造を提供できる。
【００３７】
また、実施形態１に係る二重床構造によれば、床板構成部支持体１２として、梁２の上面２ｔと接触する下面１２ａ及び床板構成部１１の下面１１ｕと接触する上面１２ｂのうちの少なくとも一方の面が凹凸面に形成された板を用いたので、凹凸面が変形することにより、遮音性能が向上する。
【００３８】
また、実施形態１に係る二重床構造によれば、床板構成部支持体１２として、複数の板が積層されて構成されものを用い、かつ、複数の板は、それぞれ異なる材料により形成された遮音性能が異なる板、あるいは、それぞれ同じ材料により形成されて遮音性能が異なる板を用いたので、遮音性能が異なる各板の組み合わせにより構成された床板構成部支持体１２となり、より広い周波数帯での遮音性能を向上させることができるようになる。
【００３９】
実施形態２
図１に示すように、床部は、上述したＣＬＴ又は集成材により形成された木質の床部１と、当該床部１の上面にコンクリートを打設して形成されたコンクリート床部１Ｃとで構成された床部１Ａであってもよい。
【００４０】
実施形態２によれば、床部１の上面にコンクリート床部１Ｃを設けた床部１Ａとしたことで、逆梁となる梁２及び床部１Ａを介した下階への遮音性能がより向上する二重床構造を提供できる。
【００４１】
実施形態３
実施形態１，２によれば、逆梁となる木質の梁２の上面２ｔと床板構成部１１の下面１１ｕとの間に、遮音性能を有した材料により形成された床板構成部支持体１２を設けた構成としたが、複数の支持脚１０の台座１０ｃ上、及び、梁２の上面２ｔに、基材１１Ｚを載置し、この基材１１Ｚの上に床板構成部１１を設けた構成の二重床構造としてもよい。
即ち、梁２の上面２ｔと床板構成部１１の下面１１ｕとの間に設けられる床板構成部支持体１２の代わりに基材１１Ｚを設けるようにしてもよい。
この場合、例えば、基材１１Ｚの下面と木質の梁２の上面２ｔとを接触させた状態で、基材１１Ｚと梁２とを、例えば、釘、スクリュー釘、タッカー針、ビス等の固定手段によって固定すればよい。
【００４２】
実施形態４
実施形態１，２によれば、逆梁となる木質の梁２の上面２ｔと床板構成部１１の下面１１ｕとの間に、遮音性能を有した材料により形成された床板構成部支持体１２を設けた構成としたが、逆梁となる木質の梁２の上面２ｔと床板構成部１１の下面１１ｕとを接触させた構成の二重床構造としてもよい。
この場合、例えば、床板構成部１１の下地材１１Ａの下地の下面１１ｕと木質の梁２の上面２ｔとを接触させた状態で、下地材１１Ａと梁２とを、例えば、釘、スクリュー釘、タッカー針、ビス等の固定手段によって固定すればよい。
【００４３】
実施形態３、実施形態４によれば、木質の床部１、１Ａ及び木質の梁２による逆梁工法に適用した二重床構造を提供できる。
【００４４】
尚、一方の梁構成部材２Ａと他方の梁構成部材２Ｂとを梁接合板３３に接合する接合手段は、上述した構成に加えて接着剤を併用した手段、あるいは、上述した連結軸挿入用貫通孔４に連結軸としてのドリフトピンを嵌入する手段を採用してもよい。
また、これら接合手段の数は、部材の大きさ等に応じて決めればよい。
【００４５】
また、上述したスプライスプレート３５は、用いた方が好ましいが、用いなくてもよい。
【００４６】
また、床部１、一方の梁構成部材２Ａ、他方の梁構成部材２Ｂは、無垢材により形成されたものを用いてもよい。
【００４７】
また、例えば、無垢材により形成された梁の下面から梁の内部上方及び梁の材軸方向に延長する凹溝を形成し、当該凹溝に梁接合板を挿入して当該梁接合板と梁とが接合手段により接合された構成としてもよい。
【符号の説明】
【００４８】
１，１Ａ  床部、１ｔ  床の上面、２  梁、１０  支持脚、１１  床板構成部、
１２  床板構成部支持体、３０  Ｔ形鋼（接合部材）、３１  床接合部、
３２  床接合板、３３  梁接合板。
【図１】
2020147996.tif 000003
【図２】
2020147996.tif 000004
【図３】
2020147996.tif 000005
【図４】
2020147996.tif 000006
【図５】
2020147996.tif 000007